(57)【要約】【課題】ワークを傷つけることなく確実に洗浄することのできるワーク洗浄装置を提案すること。【解決手段】ワーク洗浄装置１の回転ドラム３にワークＷを投入し（Ｗ１）、回転ドラム３を第１回転方向ＣＣＷに回転させて上流側のワーク送りフィン２１から、ワークＷを、ワークガイド用段差部５０を越えて下流側のワーク送りフィン２２に引き渡す（Ｗ２）。回転ドラム３を逆回転させると、ワークガイド用段差部５０によってワークＷがワーク捕捉用ポケット４０に案内され、そこに捕捉される（Ｗ４）。ワーク捕捉用ポケット４０にワークＷを捕捉した状態で回転ドラム３を正逆回転させながら洗浄液を吹き付けてワークＷを洗浄する。洗浄後に、回転ドラム３を第１回転方向に１周以上回転させることにより、ワークＷがワーク捕捉用ポケット４０から放出され、ワーク送りフィン２２によって送られて下流側のワーク送りフィン２３に引き渡される。【選択図】図３
2008006364.tif 000002
【特許請求の範囲】
【請求項１】
一端がワーク投入口とされ、他端がワーク排出口とされている回転ドラムと、
この回転ドラムの内周面に沿って螺旋状に配置された複数枚のワーク送りフィンとを有し、
各ワーク送りフィンは、所定のリードピッチで回転ドラムの内周面の一周分、あるいは複数周分の長さを備え、ワーク送り方向の上流側のワーク送りフィンの後端に対して、隣接配置されている下流側のワーク送りフィンにおけるワーク送り方向の前端が、ワーク投入口の側に後退した位置となるように配置されており、
回転ドラムをその中心軸線回りに第１回転方向に回転すると、ワーク投入口から投入されたワークが各ワーク送りフィンによって中心軸線方向に送り出され、順次に後続のワーク送りフィンに引き渡されて、ワーク排出口から排出されるようになっており、
各ワーク送りフィンの後端と、これに隣接する下流側の各ワーク送りフィンの前端の間には、下流側のワーク送りフィンが延びている方向に向けて開口しているワーク捕捉用ポケットがそれぞれ配置されており、
各ワーク送りフィンの後端から下流側の各ワーク送りフィンの側にワークが引き渡される回転ドラムの内周面部分にはワークガイド用段差部がそれぞれ配置されており、
ワークがワーク送りフィンからワークガイド用段差部を越えて下流側のワーク送りフィンに引き渡された後に、回転ドラムが第１回転方向とは逆の第２回転方向に回転すると、当該ワークガイド用段差部に沿ってワークがワーク捕捉用ポケットに案内されて、当該ワーク捕捉用ポケットに捕捉されることを特徴とするワーク処理用の回転モジュール。
【請求項２】
請求項１において、
前記回転ドラムは多孔質素材から形成されており、
前記ワーク捕捉用ポケットには、複数の通気用あるいは通液用の孔あるいは開口が形成されていることを特徴とするワーク処理用の回転モジュール。
【請求項３】
請求項２に記載の回転モジュールと、
前記回転ドラムを中心軸線周りに回転可能な状態で水平に支持している支持部と、
前記回転ドラムを中心軸線周りに回転駆動するための回転駆動部と、
ワークを捕捉可能な回転位置にある前記ワーク捕捉用ポケットに流体を吹き付け可能な流体吹き付け部と、
前記回転ドラムの回転位置を検出するための回転位置検出部と、
前記回転位置検出部の検出結果に基づき、前記回転駆動部による前記回転ドラムの回転駆動を制御すると共に、前記流体吹き付け部による流体の吹き付け動作を制御する制御部とを有していることを特徴とするワーク処理装置。
【請求項４】
請求項３において、
前記流体吹き付け部は洗浄液吹き付け部であることを特徴とするワーク処理装置。
【請求項５】
請求項４において、
前記洗浄液吹き付け部は、洗浄液の吹き付け方向を変更可能であることを特徴とするワーク処理装置。
【請求項６】
請求項４または５において、
前記洗浄液吹き付け部は、前記回転ドラムの外側および内側から前記ワーク捕捉用ポケットに向けて洗浄液を吹き付けるようになっていることを特徴とするワーク処理装置。
【請求項７】
請求項４ないし６のうちのいずれかの項に記載のワーク処理装置を用いたワーク洗浄方法であって、
前記ワーク捕捉用ポケットが最も下側の位置となる前記回転ドラムの回転角度位置の状態においてワークを前記ワーク投入口から投入するワーク投入工程と、
前記回転ドラムを第１回転方向に１周以上の角度範囲に亘って回転させて、ワークをワーク送り方向の上流側のワーク送りフィンから、前記ワークガイド用段差部を越えて、下流側のワーク送りフィンに引き渡すワーク送り工程と、
前記回転ドラムを第２回転方向に所定角度回転させて、下流側のワーク送りフィンに引き渡された後のワークを前記ワークガイド用段差部に沿って前記ワーク捕捉用ポケットに案内して、当該ワーク捕捉用ポケットに捕捉された状態とするワーク捕捉工程と、
前記ワーク捕捉用ポケットにワークが捕捉された状態が維持される角度位置の範囲内において、前記回転ドラムを第１および第２回転方向に繰り返し回転させながら、前記洗浄液吹き付け部によって洗浄液を前記ワーク捕捉用ポケットに捕捉されているワークに吹き付けるワーク洗浄工程と、
前記回転ドラムを第１回転方向に回転させて、前記ワーク捕捉用ポケットに捕捉されているワークを下流側のワーク送りフィンに引き渡すワーク放出工程とを含むことを特徴とするワーク洗浄方法。
【請求項８】
請求項７において、
前記ワーク洗浄工程では、間欠的に洗浄液の吹き付けを行うことを特徴とするワーク洗浄方法。
【請求項９】
請求項７または８において、
洗浄対象のワークに応じて、前記ワーク洗浄工程における前記回転ドラムの回転速度、前記洗浄液の吹き付け角度、および、当該洗浄液の吹き付け量のうちの少なくとも一つを変更することを特徴とするワーク洗浄方法。
【発明の詳細な説明】
【技術分野】
【０００１】
本発明は、ワーク送りフィンが螺旋状に内周面に配置された構成の回転ドラムを用いて各種のワークを送りながら洗浄などの処理を施すワーク処理装置および、当該ワーク処理装置を用いたワーク洗浄方法に関するものである。
【背景技術】
【０００２】
螺旋状のワーク送りフィンを備えた回転ドラムを用いたワーク洗浄装置では、ワーク送りフィンによって送られるワークに対して洗浄液噴射ノズルから洗浄液を吹き付けてワークを洗浄している。特許文献１にはこの構造の洗浄装置が開示されている。また、ワーク送りフィンを備えた回転ドラムの下側部分を洗浄液に浸漬させた状態でワークを送ることによって、洗浄液内を通過するワークを洗浄するものも知られている。特許文献２にはこの構造の洗浄装置が開示されている。
【０００３】
従来における螺旋状のワーク送りフィンを備えた回転ドラムを用いた洗浄装置では、洗浄対象のワークは、回転ドラムの回転に伴って、回転ドラムの下側部分をその中心軸線方向に向けて螺旋状のワーク送りフィンによって送り出される。したがって、回転ドラム内のワーク姿勢がほぼ一定のままである。そのため、洗浄液をワーク全体に吹き付けるために、ワークに対して上下の方向から洗浄液を吹き付けるようにしている。あるいは、洗浄液の吹き付け方向を切り替えるようにしている。また、洗浄液にワークを浸漬する場合においては、回転ドラムを正逆方向に回転させてワークを揺動させて洗浄液をワーク全体に接触させるようにしている。
【特許文献１】特開２００４−２７５８１９号公報
【特許文献２】特開２００１−１２９４９９号公報
【発明の開示】
【発明が解決しようとする課題】
【０００４】
しかしながら、従来の方法では、ワーク全体に確実に洗浄液を吹き付け、あるいは接触させることができない場合が多い。また、柔らかな素材からなるワークの場合には、回転ドラムを正逆回転することによって、他のワーク、回転ドラムの内周面、あるいは送りフィンに当り、表面が傷付く可能性が高い。
【０００５】
本発明の課題は、このような点に鑑みて、螺旋状の送りフィンを備えた回転ドラムを用いてワークの洗浄などの処理を行うワーク処理装置において、ワーク全体に洗浄液などを吹き付けてワーク洗浄などの処理を確実に行うことができるようにすることにある。
【０００６】
また、螺旋状の送りフィンを備えた回転ドラムを用いたワーク処理装置において、柔らかな素材からなるワークの洗浄などの処理を、ワークを傷付けることなく、しかも確実に行うことができるようにすることにある。
【課題を解決するための手段】
【０００７】
上記の課題を解決するために、本発明は、ワーク洗浄などを行うワーク処理装置に用いるのに適した回転モジュールであって、
一端がワーク投入口とされ、他端がワーク排出口とされている回転ドラムと、
この回転ドラムの内周面に沿って螺旋状に配置された複数枚のワーク送りフィンとを有し、
各ワーク送りフィンは、所定のリードピッチで回転ドラムの内周面の一周分、あるいは複数周分の長さを備え、ワーク送り方向の上流側のワーク送りフィンの後端に対して、隣接配置されている下流側のワーク送りフィンにおけるワーク送り方向の前端が、ワーク投入口の側に後退した位置となるように配置されており、
回転ドラムをその中心軸線回りに第１回転方向に回転すると、ワーク投入口から投入されたワークが各ワーク送りフィンによって中心軸線方向に送り出され、順次に後続のワーク送りフィンに引き渡されて、ワーク排出口から排出されるようになっており、
各ワーク送りフィンの後端と、これに隣接する下流側の各ワーク送りフィンの前端の間には、下流側のワーク送りフィンが延びている方向に向けて開口しているワーク捕捉用ポケットがそれぞれ配置されており、
各ワーク送りフィンの後端から下流側の各ワーク送りフィンの側にワークが引き渡される回転ドラムの内周面部分にはワークガイド用段差部がそれぞれ配置されており、
ワークがワーク送りフィンからワークガイド用段差部を越えて下流側のワーク送りフィンに引き渡された後に、回転ドラムが第１回転方向とは逆の第２回転方向に回転すると、当該ワークガイド用段差部に沿ってワークがワーク捕捉用ポケットに案内されて、当該ワーク捕捉用ポケットに捕捉されることを特徴としている。
【０００８】
ここで、回転モジュールを、ワークの洗浄あるいは乾燥のために用いる場合などにおいては、前記回転ドラムを多孔質素材から形成し、また、前記ワーク捕捉用ポケットには、複数の通気用あるいは通液用の孔あるいは開口を形成しておけばよい。
【０００９】
次に、本発明のワーク処理装置は、
上記構成の回転モジュールと、
前記回転ドラムを中心軸線周りに回転可能な状態で水平に支持している支持部と、
前記回転ドラムを中心軸線周りに回転駆動するための回転駆動部と、
ワークを捕捉可能な回転位置にある前記ワーク捕捉用ポケットに流体を吹き付け可能な流体吹き付け部と、
前記回転ドラムの回転位置を検出するための回転位置検出部と、
前記回転位置検出部の検出結果に基づき、前記回転駆動部による前記回転ドラムの回転駆動を制御すると共に、前記流体吹き付け部による流体の吹き付け動作を制御する制御部とを有していることを特徴としている。
【００１０】
ここで、ワーク処理装置をワーク洗浄装置として用いる場合には、前記流体吹き付け部を洗浄液吹き付け部とすればよい。ワーク乾燥装置として用いる場合には、乾燥用空気の吹き付け部あるいは熱風を吹き付けるドライヤとすればよい。
【００１１】
また、前記洗浄液吹き付け部は、洗浄液の吹き付け方向を変更可能とすることもできる。さらに、前記洗浄液吹き付け部は、前記回転ドラムの外側および内側から前記ワーク捕捉用ポケットに向けて洗浄液を吹き付ける構成とすることもできる。
【００１２】
次に、この構成のワーク処理装置を用いたワーク洗浄方法は、
前記ワーク捕捉用ポケットが最も下側の位置となる前記回転ドラムの回転角度位置の状態においてワークを前記ワーク投入口から投入するワーク投入工程と、
前記回転ドラムを第１回転方向に１周以上の角度範囲に亘って回転させて、ワークをワーク送り方向の上流側のワーク送りフィンから、前記ワークガイド用段差部を越えて、下流側のワーク送りフィンに引き渡すワーク送り工程と、
前記回転ドラムを第２回転方向に所定角度回転させて、下流側のワーク送りフィンに引き渡された後のワークを前記ワークガイド用段差部に沿って前記ワーク捕捉用ポケットに案内して、当該ワーク捕捉用ポケットに捕捉された状態とするワーク捕捉工程と、
前記ワーク捕捉用ポケットにワークが捕捉された状態が維持される角度位置の範囲内において、前記回転ドラムを第１および第２回転方向に繰り返し回転させながら、前記洗浄液吹き付け部によって洗浄液を前記ワーク捕捉用ポケットに捕捉されているワークに吹き付けるワーク洗浄工程と、
前記回転ドラムを第１回転方向に回転させて、前記ワーク捕捉用ポケットに捕捉されているワークを下流側のワーク送りフィンに引き渡すワーク放出工程とを含むことを特徴としている。
【００１３】
ここで、ワークの洗浄効率を高めるためには、前記ワーク洗浄工程では間欠的に洗浄液の吹き付けを行うことが望ましい。また、洗浄対象のワークに応じて、前記ワーク洗浄工程における前記回転ドラムの回転速度、前記洗浄液の吹き付け角度、および、当該洗浄液の吹き付け量のうちの少なくとも一つを変更することが望ましい。
【発明の効果】
【００１４】
本発明の回転モジュールにおいては、その回転ドラムを第１回転方向に回転させることにより、ワーク送り方向の上流側のワーク送りフィンから、ワークを、ワークガイド用段差部を越えて下流側のワーク送りフィンに引き渡すことができる。また、この後に、回転ドラムを逆回転（第２回転方向に回転）させると、ワークガイド用段差部に沿ってワークがワーク捕捉用ポケットに案内されて、そこに捕捉される。ワーク捕捉用ポケットにワークを捕捉した後に回転ドラムを更に第２回転方向に回転させることにより、ワークを、回転ドラムの最も下側の位置から上方に引き上げることができる。ワーク捕捉用ポケットからワークが放出されない角度範囲内で回転ドラムを繰り返し正逆回転させながら洗浄液などをワークに吹き付けることができる。
【００１５】
したがって、従来のように、回転ドラムの最も下側位置にとどまった状態で送り出されながらワークが洗浄される場合とは異なり、ワーク捕捉用ポケットに捕捉されているワークは回転ドラムの回転に伴ってその姿勢が大きく変化する。よって、ワーク全体に対して洗浄液などを吹き付けることができ、ワークの洗浄などの処理を確実に行うことができる。
【００１６】
また、柔らかな素材からなるワークの場合には、ワークを１個ずつ投入して、１個ずつワーク捕捉用ポケットに捕捉して、その洗浄などの処理を行うようにすれば、ワークが傷付いてしまうことを確実に防止できる。
【発明を実施するための最良の形態】
【００１７】
以下に、図面を参照して、本発明を適用したワーク洗浄装置の例を説明する。
【００１８】
（全体構成）
図１（ａ）および（ｂ）は、ワーク洗浄装置の全体構成を示す概略構成図および概略断面構成図である。ワーク洗浄装置１は、円環状のワークＷを、螺旋状のワーク送りフィンが内周面に形成さている回転ドラムによって送りながら、当該ワークＷに洗浄液を吹き付けて洗浄するためのものである。
【００１９】
ワーク洗浄装置１は、上方に開口している洗浄液回収槽２と、この洗浄液回収槽２の上側に水平状態に配置されている回転ドラム３を備えた回転モジュール４と、回転ドラム３をその中心軸線３ａ周りに回転可能な状態で支持している支持部５と、回転ドラム３を回転駆動するための回転駆動部６と、回転ドラム３内を搬送されるワークＷに対して洗浄液を吹き付けるための洗浄液吹き付け部７とを有している。また、回転ドラム３の回転位置を検出するための回転位置検出部８と、回転位置検出部８の検出結果に基づき、回転駆動部６による回転ドラム３の回転駆動を制御すると共に、洗浄液吹き付け部７による洗浄液の吹き付け動作を制御する制御盤９とを有している。
【００２０】
回転ドラム３は、その一方の開口端がワーク投入口１１とされ、ここには、ワーク供給シュート１２が配置されている。回転ドラム３の反対側の開口端がワーク排出口１３とされ、ここにはワーク排出シュート１４が配置されている。ワーク供給シュート１２を介して不図示のワーク供給部からワークＷが供給され、ワーク排出シュート１４から排出される洗浄済みのワークＷは不図示のワーク回収部に回収される。
【００２１】
回転ドラム３を回転自在の状態に支持している支持部５は、回転ドラム３が回転自在の状態で乗っている前後の左右一対の支持ローラ５ａ、５ｂおよび５ｃ、５ｄを備えている。これらの支持ローラ５ａ〜５ｄは例えばゴムローラである。回転ドラム３を回転させるための回転駆動部６は、減速機を備えたギヤドモータ６ａと、この出力軸に取り付けられている駆動側歯車６ｂと、回転ドラム３の外周面に同軸状態で固定されている従動側歯車６ｃとを備え、駆動側歯車６ｂと従動側歯車６ｃが噛み合い状態に保持されている。
【００２２】
回転位置検出部８は、回転ドラム３の外周面近傍に配置したセンサ８ａと、回転ドラム３の外周面から所定の角度間隔で突出している例えば３つの検出片８ｂ、８ｃ、８ｄとを備えている。これらの検出片８ｂ〜８ｄがセンサ８ａによって検出されて、回転ドラム３の回転位置が検出されるようになっている。回転位置検出部８としてはロータリエンコーダなどの各種のセンサを用いることができる。
【００２３】
次に、洗浄液吹き付け部７は、図１（ｂ）から分かるように、回転ドラム３の内側におけるその中心軸線３ａに対して一方の側に偏った位置に配置された内側吹き付け部７１と、回転ドラム３の外側に配置された外側吹き付け部７２とを備えている。内側吹き付け部７１は、回転ドラム３の中心軸線３ａに平行に配置されている洗浄液供給管７３と、この洗浄液供給管７３に一定の間隔で取り付けられている複数本のノズル７４と、各ノズル７４から洗浄液を噴出させるために各ノズル７４に圧縮空気を供給するための空気供給管７５とを備えている。外側吹き付け部７２も同様であり、回転ドラム３の中心軸線３ａに平行に配置した洗浄液供給管７６と、この洗浄液供給管７６に一定の間隔で取り付けられている複数本のノズル７７と、各ノズル７７から洗浄液を噴出させるために各ノズル７７に圧縮空気を供給する空気供給管７８とを備えている。各洗浄液供給管７３、７６には洗浄液タンクおよび供給ポンプなどからなる洗浄液供給源７９から洗浄液が供給される。各空気供給管７５、７８には圧縮空気源８０から圧縮空気が供給される。
【００２４】
（回転モジュール）
図２は回転モジュール４をワーク投入口の側から見た斜視図である。回転モジュール４は、上記のように、一端がワーク投入口１１とされ、他端がワーク排出口１３とされている回転ドラム３を備えている。回転ドラム３は、円形の穴が多数形成されているパンチングメタルなどの多孔質素材から形成されている。この回転ドラム３の内周面３１に沿って複数枚のワーク送りフィン２１、２２、２３・・・が螺旋状に配置されている。各ワーク送りフィン２１、２２、２３・・・は、一定のリードピッチで回転ドラム３の内周面３１に沿って一周分ずつ形成されている。回転ドラム３をその中心軸線３ａ回りに第１回転方向ＣＣＷに回転すると、ワーク投入口１１から投入されたワークＷがワーク送りフィン２１、２２、２３・・・によって中心軸線３ａの方向に送り出され、順次に後続のワーク送りフィン２２、２３、２４・・・に引き渡されて、ワーク排出口１３から排出されるようになっている。
【００２５】
ここで、各ワーク送りフィン２１、２２、２３・・・は次のように配置されている。隣接配置されている２枚のワーク送りフィン、例えば、ワーク送りフィン２１、２２においては、ワーク送り方向の上流側のワーク送りフィン２１におけるワーク送り方向の後端２１ｂに対して、下流側のワーク送りフィン２２におけるワーク送り方向の前端２２ａが、ワーク送り方向とは逆方向に一定量だけ後退した位置から開始するようになっている。
【００２６】
また、上流側のワーク送りフィン２１の後端２１ｂと下流側のワーク送りフィン２２の前端２２ａの間には、下流側のワーク送りフィン２２が延びている方向に向けて開口しているワーク捕捉用ポケット４０が配置されている。ワーク捕捉用ポケット４０の開口部４１におけるワーク送り方向の側の端からは、回転ドラム３の内周面３１に沿ってワークガイド用段差部５０が配置されている。ワークＷが上流側のワーク送りフィン２１からワークガイド用段差部５０を越えて下流側のワーク送りフィン２２に引き渡された後に、回転ドラム３を第１回転方向ＣＣＷとは逆の第２回転方向ＣＷに回転させると、当該ワークガイド用段差部５０に沿ってワークＷがワーク捕捉用ポケット４０に案内され、この中に捕捉されるようになっている。
【００２７】
ワーク捕捉用ポケット４０およびワークガイド用段差部５０は、隣接配置されている各ワーク送りフィンの間にも同様に配置されている。
【００２８】
図３は、回転ドラム３の回転に伴うワーク送りフィンによるワークＷの送り状態を示す説明図であり、図４はワーク捕捉用ポケット４０の部分を拡大して示す説明図であり、図５は回転ドラム３の内周面３１を平面上に展開した状態を示す平面展開図である。これらの図を参照して、回転ドラム３の回転に伴うワークＷの移動状態を説明する。
【００２９】
まず、図３に示すように、ワーク捕捉用ポケット４０が回転ドラム３の最も下側位置にある回転角度位置において、ワークＷがワーク投入口１１から回転ドラム３の内部に投入される。この回転角度位置においては、最も上流側のワーク送りフィン２１の前端２１ａが回転ドラムの円形断面における最も下側の角度位置にある。なお、回転ドラム３は、一定厚さのパンチングメタルなどを円筒状に丸めて形成したものであり、その継ぎ目部分３２は、一定幅で重ねられている。
【００３０】
この状態から回転ドラム３を第１回転方向ＣＣＷに回すと、ワーク送りフィン２１によってワークＷがワーク排出側に向けて送り出される。この結果、ワークＷは相対的に、図３において矢印で示すように内周面３１に沿って移動する。回転ドラム３が１周以上回転すると、ワークＷは、ワーク送りフィン２１の後端２１ｂから外れて、ワークガイド用段差部５０を越えて、ワーク送りフィン２２の前端２２ａの側に引き渡される。
【００３１】
ここで、図４から分かるように、ワーク送りフィン２１の後端２１ｂと、隣接配置されているワーク送りフィン２３の前端２３ａの間には、回転ドラム３の内周面３１の継ぎ目部分３２の段差を埋める状態で、台形状のガイド板５１が回転ドラムの内周面３１に沿って配置されている。このガイド板５１におけるワーク移動方向の端と、回転ドラムの内周面３１との間が、ワーク送りフィン２２の側に面しているワークガイド用段差部５０となっている。このワークガイド用段差部５０は、ワーク捕捉用ポケット４０の開口部４１におけるワーク送り方向の端４２からワーク送りフィン２３まで延びている。
【００３２】
ワークＷがワーク送りフィン２２の側に当る位置まで回転ドラム３を回転させた後に、回転ドラム３を逆の第２回転方向ＣＷに回転すると、ワークＷは相対的に逆方向に回転ドラム内周面３１に沿って移動し、ワークガイド用段差部５０に当る。この後は、ワークガイド用段差部５０に案内されてワーク捕捉用ポケット４０の開口部４１に移動し、開口部４１からワーク捕捉用ポケット４０の中に入り込む。このようにしてワークＷがワーク捕捉用ポケット４０に捕捉される。
【００３３】
なお、本例では、円弧状の取り付け枠４３と、この先端部に片持ち状態で固定した３本のピン４４、４５、４６からなるユニットを、回転ドラム内周面３１に固定することにより、当該ユニットと、ワーク送りフィン２２の前端２２ａとの間に、ワーク捕捉用ポケット４０が形成されている。ピン４４〜４６の間は開口となっており、ワーク捕捉用ポケット４０に捕捉されたワークＷに対して外側から洗浄液を吹き付け可能である。
【００３４】
ワーク捕捉用ポケット４０にワークＷが捕捉された後は、例えば、図２に示す位置まで回転させてもワークＷがワーク捕捉用ポケット４０に捕捉された状態を維持できる。この後に、回転ドラム３を第１回転方向ＣＣＷに回転していくと、ワーク捕捉用ポケット４０の開口部４１が下向きとなり、そこからワークＷが放出され、再びワーク送りフィン２２の側に引き渡される。この後は、同一方向の回転ドラム３を回転させることにより、ワークＷはワーク送りフィン２２によって送られる。
【００３５】
（ワーク洗浄動作）
次に、図６は、この構成のワーク洗浄装置１によるワーク洗浄動作の一例を示す工程図である。まず、図６のＳＴ１に示すように、ワーク捕捉用ポケット４０が回転ドラム３の円形断面における最も下側の角度位置から９０度だけ第２回転方向ＣＷに回転した位置Ａ１が、回転ドラム３の初期位置であるとする。この回転角度位置Ａ１から回転ドラム３を第１回転方向ＣＣＷに９０度回転させて、ワーク捕捉用ポケット４０が回転ドラム３の円形断面における最も下側の位置となる回転角度位置Ａ２にし、この状態において、ワークＷ（１）をワーク投入口１１から投入する（ＳＴ２：ワーク投入工程、図５のワーク位置Ｗ１）。
【００３６】
次に、回転ドラム３を第１回転方向ＣＣＷに１周以上の角度範囲に亘って回転させて、ワークＷ（１）をワーク送り方向の上流側のワーク送りフィン２１から、ワークガイド用段差部５０を越えて、下流側のワーク送りフィン２２に引き渡される回転角度位置Ａ３とする（ＳＴ３：ワーク送り工程、図４および図５のワーク位置Ｗ２）。
【００３７】
この後は、回転ドラム３を逆に第２回転方向ＣＷに回転させる。この結果、下流側のワーク送りフィン２２に引き渡された後のワークＷ（１）がワークガイド用段差部部５０に当り、このワークガイド用段差部５０に沿ってワーク捕捉用ポケット４０の開口部４１に案内され、当該ワーク捕捉用ポケット４０に捕捉される（ＳＴ４：ワーク捕捉工程、図４および５のワーク位置Ｗ３、Ｗ４）。
【００３８】
ワークＷ（１）が捕捉された後は、ワーク捕捉用ポケット４０にワークＷ（１）が捕捉された状態が維持される角度位置の範囲内において、回転ドラム３を第１および第２回転方向に繰り返し回転させながら、洗浄液吹き付け部７によって洗浄液をワーク捕捉用ポケット４０に捕捉されているワークＷに吹き付ける（ＳＴ５：ワーク洗浄工程）。例えば、間欠的に洗浄液の吹き付けを行う。
【００３９】
洗浄後は、回転ドラム３を第１回転方向ＣＣＷに回転させて、ワーク捕捉用ポケット４０に捕捉されているワークＷ（１）を下流側のワーク送りフィン２２に再び引き渡すワーク放出工程を行う。連続してワークＷ（２）を投入して洗浄動作を行う場合には、図６の工程ＳＴ６において新たなワークＷ（２）を投入し、工程ＳＴ３に戻り、回転ドラム３を同一方向に一周以上回転させる。
【００４０】
この結果、各ワークＷ（１）、Ｗ（２）が下流側のワーク送りフィン２２、２３にそれぞれ引き渡された状態になる。上記の工程ＳＴ３〜ＳＴ６を繰り返すことにより、ワークＷを順次に投入して、各ワーク捕捉用ポケット４０によって各ワークＷ（１）、Ｗ（２）を捕捉して洗浄を行うことができる。このようにして繰り返し洗浄された後のワークＷは最も下流側のワーク送りフィンによってワーク排出口１３からワーク排出シュート１４に送り出されて、ここから不図示のワーク回収部に排出される。
【００４１】
なお、ワークの洗浄効率を高めるためには、洗浄対象のワークに応じて、ワーク洗浄工程における回転ドラム３の回転速度、正逆回転の繰り返し回数、洗浄液の吹き付け角度、洗浄液の吹き付け量などのパラメータを制御すればよい。
【００４２】
（その他の実施の形態）
上記の例は本発明をワーク洗浄装置に適用したものである。本発明は、洗浄以外のワークの処理についても適用できる。例えば、ワーク乾燥装置として用いることができる。
【００４３】
また、上記の例では、各ワーク送りフィンを所定のリードピッチで回転ドラム内周面１周分の長さとしてある。これを２周分以上の長さとし、各ワーク送りフィンの間にワーク捕捉用ポケットおよびワークガイド用段差部を配置してもよい。
【図面の簡単な説明】
【００４４】
【図１】（ａ）および（ｂ）は、ワーク洗浄装置の全体構成を示す概略構成図および概略断面構成図である。
【図２】回転モジュールをワーク投入口の側から見た斜視図である。
【図３】回転ドラムの回転に伴うワーク送りフィンによるワークＷの送り状態を示す説明図である。
【図４】ワーク捕捉用ポケットの部分を拡大して示す説明図である。
【図５】回転ドラムの内周面を平面上に展開した状態を示す平面展開図である。
【図６】ワーク洗浄装置によるワーク洗浄動作の一例を示す工程図である。
【符号の説明】
【００４５】
１    ワーク洗浄装置
２    洗浄液回収槽
３    回転ドラム
３ａ  中心軸線
４    回転モジュール
５    支持部
６    回転駆動部
７    洗浄液吹き付け部
８    回転位置検出部
９    制御盤
１１  ワーク投入口
１２  ワーク供給シュート
１３  ワーク排出口
１４  ワーク排出シュート
２１、２２、２３、２４  ワーク送りフィン
２１ａ、２２ａ、２３ａ  前端
２１ｂ、２２ｂ  後端
３１  内周面
３２  継ぎ目部分
４０  ワーク捕捉用ポケット
４１  開口部
５０  ワークガイド用段差部
５１  ガイド板
ＣＣＷ  第１回転方向
ＣＷ    第２回転方向
Ｗ、Ｗ（１）、Ｗ（２）  ワーク
Ｗ１、Ｗ２、Ｗ３、Ｗ４  ワーク位置
【図１】
2008006364.tif 000003
【図２】
2008006364.tif 000004
【図３】
2008006364.tif 000005
【図４】
2008006364.tif 000006
【図５】
2008006364.tif 000007
【図６】
2008006364.tif 000008